(57)【要約】      （修正有）【課題】従来の画鋲は、掲示物や物品を差し替える際に、そのつど壁や柱等から画鋲を抜き差しする必要があったため、壁や柱等には無数の針穴が残り、室内の美観を低下させる原因となっていた。また、残った針穴への害虫の進入による侵食などの心配もあった。そのため、以前刺していた同じ穴を使用するケースも多いが、掲示物の上からでは刺し穴が見えず、同一穴に刺すのはひじょうに難しく、また、同じ穴を使用したのでは、画鋲としての効果もとても弱まり、抜け落ちてしまうことも多かった。【解決手段】頭部１と針部２の間に、ねじや切り溝３等の加工を配し、切り離しを可能とする。画鋲を壁や柱等に刺した際、頭部１だけを針部２から切り離すことにより、画鋲自体を抜かずに掲示物や物品の差し替えが可能となる。【選択図】図２
2009090628.tif 000002
【特許請求の範囲】
【請求項１】
針部の後方にねじや切り溝などの加工を配し、頭部と針部の切り離しを可能としたことを特徴とする画鋲。
【請求項２】
請求項１に記載の画鋲の、針部後端部を針状にすることを特徴とした画鋲。
そうすることにより、壁や柱等から画鋲全体を抜くことなく、針部後端部方向からも掲示物や物品を抜き刺しすることが可能となる。
【発明の詳細な説明】
【技術分野】
【０００１】  この発明は、壁や柱等から針を抜くことなく掲示物を差し替えられる画鋲に関するものである。
【背景技術】
【０００２】  従来、壁や柱等へ貼ってある掲示物や、取り付けてあるその他小物類などの物品を差し替える際には、そのつど壁や柱等から画鋲を抜き差しする必要があった。
【特許文献１】特開平１０−３５１９０
【発明の開示】
【発明が解決しようとする課題】
【０００３】  従来の画鋲は、掲示物や物品を差し替える際に、そのつど壁や柱等から画鋲を抜き差しする必要があったため、壁や柱等には無数の針穴が残り、賃貸住宅や賃貸物件などの室内では不体裁であり、美観を低下させる原因となっていた。
また、残った針穴への害虫の進入による侵食などの心配もあった。
そのため、以前刺していた同じ穴を使用するケースも多いが、掲示物の上からでは刺し穴が見えないため同一穴に刺すのはひじょうに難しく、また、同じ穴を使用したのでは、画鋲としての効果もとても弱まり、抜け落ちてしまうことも多かった。
また、壁や柱等によっては一度刺した画鋲を抜くのにたいへんな力を要し、子供やお年寄りには無理な力が必要となっていた。
本発明は、以上のような欠点をなくすために考えたものである。
【課題を解決するための手段】
【０００４】  以上の課題を解決するために、第一発明は、針部の後方にねじや切り溝などの加工を配し、頭部と針部の切り離しを可能としたことを特徴とする画鋲である。
画鋲を壁や柱等に刺した際、頭部だけを針部から切り離すことにより、画鋲自体を抜かずに掲示物や物品の差し替えが可能となる。
また、第二発明は、針部後端部を針状にすることにより、壁や柱等から画鋲全体を抜くことなく、針部後端部方向からも掲示物や物品を抜き刺しすることが可能となることを特徴とする画鋲である。
【発明の効果】
【０００５】  本発明を実施することで、以下のような効果が得られる。【０００６】  壁や柱等に画鋲を刺したまま、掲示物や物品の差し替えが可能となる。【０００７】  画鋲を抜き差しする必要がないため、賃貸住宅や賃貸物件などの室内の美観を損なうことがない。【０００８】  画鋲の抜け穴を作らないため、針穴への害虫の侵入による侵食などの心配がない。【０００９】  同じ穴への画鋲の抜き差しを行わないため、画鋲本来の強度が弱まることがない。
よって、画鋲の抜け落ちによって起こる怪我などの心配がない。【００１０】  壁や柱等に一度刺してしまえば、頭部の取り外しにはさほど力を要しないため、お年寄りや子供にも簡単に掲示物や物品の差し替えが可能となる。【００１１】  高所や天井等の掲示物や物品の差し替えも、力を要することなく行うことが可能となる。【００１２】  画鋲頭部をデザイン性のあるものや、キャラクター的なものなどへ変更することにより、画鋲にインテリア性を持たせることも可能。
【発明を実施するための最良の形態】
【００１３】  壁や柱等に刺した画鋲（図１）の頭部（１）だけを針部（２）から切り離すことにより（図２または図３）、画鋲全体を抜くことなく掲示物や物品の差し替えが容易になる。
【実施例】
【００１４】  図２〜図４を参照して説明すると、針部（２）の針後端部（４）を頭部（１）に差し込み、頭部（１）を回転させることにより、針部（２）と頭部（１）がねじ部（３）で固定される構成である。
固定された断面図を図１に示す。【００１５】  針部（２）の後方部に設けたねじ部（３）のねじ山は２山〜４山程度が実用の範囲と思われるが、山数に関しては原則として限定されない。【００１６】  また、ねじ部（３）の形状は、切り溝や突起物、スリット等、頭部（１）と針部（２）がしっかりと固定されるものであれば形状は問わない。【００１７】  また、頭部（１）の形状は、針後端部（４）が頭部（１）を貫通する貫通穴構成、針後端部（４）が頭部（１）を貫通しない未貫通穴構成のいずれでもよい。【００１８】  図２に示すように、針後端部（４）を針状にすることにより、掲示物や物品等に穴が開いていない場合でも壁や柱等（６）から画鋲自体を抜くことなく、頭部（１）だけを針部（２）から切り離すことによって針後端部（４）から掲示物や物品を刺し入れることができる。（使用例を図８に示す）
また、掲示物や物品等にあらかじめ穴が開いている場合などは、図３に示す円柱形のような針後端部（４）でも、掲示物や物品を刺し入れることができる。
（使用例を図９に示す）【００１９】  頭部（１）の形状は、図４に示すように比較的厚みを持たせると、指先が不自由なお年寄りや力のない子供にも扱いやすい画鋲となる。【００２０】  図５・図６はそれぞれ画鋲を上部・下部から見た平面図である。ここでは頭部（１）の形状を円形にしてあるが、四角形、楕円形、菱形、キャラクター形状など様々な形状を用いることができる。
また、フックやクリップ等、他の構成を付加することも考えられる。【００２１】  本発明の特性上（画鋲頭部（１）を回転させる為）、掲示物や物品等を差し替える頻度が頻繁であった場合、徐々に壁や柱等（６）と針部（２）との間にかすかな隙間が生じ、頭部（１）の回転に連動し針部（２）も同時に回転してしまう恐れも考えられるため、図７に示すように針先端部（５）を四角錐や多角錐にするなどの加工も必要であると考えられる。
また、針先端部（５）に小さなスリットやスクリュー等を設ける場合もある。【００２２】  本発明における画鋲とは、一般の文具としての画鋲のみではなく、インテリア用としての画鋲など、頭部（１）と針部（２）から構成されていて、頭部（１）を指や手、または道具を使用し押し刺して用いる類似の形状の物全てを含むものとする。【００２３】  また、金属や樹脂等、使用に耐えるものであれば材質は特に問わない。針の長さ、太さ、頭の大きさ、厚みや、画鋲の使用分野等も原則として限定されない。
【図面の簡単な説明】
【００２４】
【図１】抜かずに掲示物や物品を差し替えられる画鋲本体の一例を示す側面図である。
【図２】画鋲の頭部と針部を切り離した状態の側面図である。（針後端部が円錐形のもの）
【図３】画鋲の頭部と針部を切り離した状態の側面図である。（針後端部が円柱形のもの）
【図４】画鋲頭部を摘まみやすくする為、厚みを持たせた側面図である。
【図５】画鋲を上部（頭部側）から見た平面図である。
【図６】画鋲を下部（針部側）から見た平面図である。
【図７】画鋲の針先端部を四角錐にアレンジした針部拡大側面図である。
【図８】実際に壁や柱等に使用した際の断面図である。（針後端部が円錐形のもの）
【図９】実際に壁や柱等に使用した際の断面図である。（針後端部が円柱形のもの）
【符号の説明】
【００２５】１  頭部
２  針部
３  ねじ部
４  針後端部
５  針先端部
６  壁や柱等
【図１】
2009090628.tif 000003
【図２】
2009090628.tif 000004
【図３】
2009090628.tif 000005
【図４】
2009090628.tif 000006
【図５】
2009090628.tif 000007
【図６】
2009090628.tif 000008
【図７】
2009090628.tif 000009
【図８】
2009090628.tif 000010
【図９】
2009090628.tif 000011